(57)【要約】【課題】送電鉄塔への着脱が容易で、設置スペースを取らず、効率よく送電鉄塔を解体できる台棒装置を提供すること。【解決手段】送電鉄塔Ｔを解体すべく主柱材Ｔ１に台棒装置１を取り付ける。台棒装置１は、主柱材Ｔ１への取付金具２にブーム３を連結し、ガイド金具４で固定する。ブーム３を利用して主柱材Ｔ１などの使用済み資材を吊りワイヤ５で吊り降ろす。ガイド金具４は、ブーム３を把持する受け板１６と押え板１８とをボルト１７で締め止める。ボルト１７の軸にスペーサを嵌合させれば、受け板１６と押え板１８との間隔が広がり、ブーム３を軸線方向への移動をガイドする。従って、台棒装置１により上部主柱材Ｔ１を吊り降ろしたら、ブーム３を取付金具２もろともその下方に隣接する下部主柱材Ｔ２に移動させてから、下部主柱材Ｔ２の取り外し作業を行い、この作業を四方の主柱材Ｔ１，Ｔ２につき繰り返し行えば、送電鉄塔Ｔを上部から順次解体できる。【選択図】　　図２
2004003160.tif 000002
【特許請求の範囲】
【請求項１】
送電鉄塔を解体するために、鉄塔を組む四方の主柱材の上部から順次取り外す鉄塔解体用台棒装置において、
取り外し対象である上部主柱材の下方に隣接する下部主柱材に取り付ける取付金具と、
この取付金具に基端部が枢支され、前記上部主柱材に沿って伸び、先端部が少なくとも上部主柱材を吊り下げ可能な高さ位置に至るブームと、
このブームの途上を前記下部主柱材に固定する着脱可能なガイド金具と、
一端がウインチへ係止され、中間が前記ブームの先端部の滑車に掛け回され、他端側がブームの先端部から昇降自在に垂下し、前記上部主柱材を吊り降ろす吊り下げワイヤとを具備し、
前記下部主柱材に取り付けて上部主柱材を吊り降ろした後、下部主柱材のさらに下方に隣接する下部主柱材に移動して、吊り降ろし作業を行い、これを繰り返して、送電鉄塔を上部から順次解体していくことを特徴とする鉄塔解体用台棒装置。
【請求項２】
前記ガイド金具は、前記ブームの途上を前記下部主柱材に固定する一方、上部主柱材を吊り降ろした後、ブームを下方に移動自在にガイドすることを特徴とする鉄塔解体用台棒装置。
【請求項３】
前記ガイド金具には、前記ブーム周りを把持させるために締め付けるボルトと、このボルトの軸上に介在して締め込みを規制し、ブームを軸方向に移動自在に解放するスペーサとを具備することを特徴とする請求項２に記載の鉄塔組立用台棒装置。
【請求項４】
送電鉄塔を構成する四方の主柱材の上部から順次取り外して送電鉄塔を解体する鉄塔解体方法において、
取り外し対象である上部主柱材の下方に隣接する下部主柱材にブームを固定し、
このブームの先端部の滑車に吊り下げワイヤを掛け回してウインチで前記上部主柱材を吊り降ろし、
前記下部主柱材を取り外し対象とすべく、下部主柱材のさらに下方に隣接する下部主柱材にブームを移動させて固定し、
主柱材の吊り降ろし作業を繰り返して、送電鉄塔を上部から順次解体していくことを特徴とする鉄塔解体方法。
【発明の詳細な説明】
【０００１】
【発明の属する技術分野】
本発明は、送電鉄塔を効率的に上部から解体するための台棒装置及びこれを用いた解体方法に関するものである。
【０００２】
【従来の技術】
従来、送電鉄塔の解体工事においては、送電鉄塔の周辺位置にクレーン車やクレーン装置などの大型設備を搬入、設置して鉄塔の構成材などを順次取り外して吊り降ろすことにより解体している。
【０００３】
【発明が解決しようとする課題】
上記従来のクレーン車やクレーン装置においては、市街地や山岳部のようなクレーン車の乗り入れやクレーンの搬入が困難であったり、適切でない場合がある。この様な場合には、簡易的に台棒装置が使用される。この台棒装置は、送電鉄塔を構成する四方の主柱材の一つにブームを取り付けて、他の主柱材をウインチで巻き取る吊り下げワイヤで吊り降ろすものである。ブームの前後方向の位置調整は、起伏操作ワイヤをその先端部から鉄塔上のガイド滑車を介して地上で操作して行う。ブームの左右方向の位置決めは、ブームの左右両側に旋回操作用支線を張り、これを地上から操作して行う。そして、台棒装置は鉄塔を上部から下方へ移動して順次主柱材を取り外していく。
しかしながら、この台棒装置においては、旋回操作用の支線や起伏操作のワイヤを地上に張らなければならず、地上に操作の支障がないようにスペースを取らなければならない。
そこで、本発明は、既設送電鉄塔への着脱が容易で、設置スペースを取らず、効率よく送電鉄塔を解体できる鉄塔解体用台棒装置及び解体方法を提供することを課題としている。
【０００４】
【課題を解決するための手段】
上記課題を解決するため、第１の発明においては、送電鉄塔Ｔを解体するために、鉄塔Ｔを組む四方の主柱材Ｔ１，Ｔ２の上部から順次取り外していく鉄塔解体用台棒装置１において、取り外し対象である上部主柱材Ｔ１の下方に隣接する下部主柱材Ｔ２に取付金具２を取り付け、この取付金具２に基端部を枢支し、上部主柱材Ｔ１に沿って上方に至り、少なくとも上部主柱材Ｔ１を吊り下げ可能な高さ位置にブーム３を配置し、このブーム３の途上をガイド金具４で下部主柱材Ｔ２に固定し、ブーム３の先端部の滑車２０に吊り下げワイヤ５を掛け回して、ウインチで上部主柱材を吊り降ろすように構成し、下部主柱材Ｔ２に取り付けて上部主柱材Ｔ１を吊り降ろした後、下部主柱材Ｔ２のさらに下方に隣接する下部主柱材に移動して、吊り降ろし作業を行い、これを繰り返して、送電鉄塔Ｔを上部から順次解体していくようにした。
第２の発明においては、ブーム３の途上をガイド金具４で下部主柱材Ｔ２に固定して、上部主柱材Ｔ１を吊り降ろした後、ブーム３をガイド金具４で軸方向下方に移動自在にガイドさせるように構成した。
第３の発明においては、ガイド金具４に、ブーム３周りを把持させるように締め付けるボルト１７を設け、この軸上にスペーサ１９を介在させて締め込みを規制させ、ブーム３の軸方向の移動をガイドさせた。
第４の発明においては、送電鉄塔Ｔを構成する四方の主柱材Ｔ１の上部から順次取り外して送電鉄塔Ｔを解体する鉄塔解体方法において、取り外し対象である上部主柱材Ｔ１の下方に隣接する下部主柱材Ｔ２にブーム３を固定し、このブーム３の先端部の滑車２０に吊り下げワイヤ５を掛け回してウインチで上部主柱材Ｔ１を吊り降ろし、次に下部主柱材Ｔ２を取り外し対象とすべく、下部主柱材Ｔ２のさらに下方に隣接する下部主柱材Ｔ２にブーム３を移動させて固定し、主柱材Ｔ２の吊り降ろし作業を繰り返し、送電鉄塔Ｔを上部から順次解体していく鉄塔解体方法を採用した。
【０００５】
【発明の実施の形態】
本発明の実施の一形態を図面を参照して説明する。
図１及び図２において、送電鉄塔Ｔにはこれを解体すべくその主柱材Ｔ１に台棒装置１が取り付けられる。台棒装置１は、主柱材Ｔ１に取り付けるための取付金具２と、この取付金具２に立設されるブーム３と、このブーム３を固定すると共に移動を案内するためのガイド金具４と、ブーム３を利用して主柱材Ｔ１などの使用済み資材を吊り降ろす吊りワイヤ５などを備えている。
【０００６】
図３及び図４に示すように、取付金具２は、アングル鋼材である主柱材Ｔ２に取り付けるべく、その内側に沿ってほぼ直角を成す当て板６を備えている。この当て板６の両板面には、上下に三本の横方向のボルト挿通用長孔６ａが夫々設けられている。当て板６には主柱材Ｔ１の両縁部を当て板６と挟み込んでボルト７で固定するための止め板８が結合される。この止め板８には主柱材Ｔ２の両側縁及び当て板６に重なるように主柱材Ｔ２面と当て板６面に合致する段差が形成されている。当て板６の内側には横板９が水平に固着されている。この横板９上にはアイ１０が立設されている。横板９の下面及び当て板６の内側面には横方向に間隔を置いて対面する一対の支持板１１が縦方向に固着されている。
【０００７】
ブーム３は、図１，図２に示すように、鋼管材で構成されており、下端に取付金具２のアイ１０に枢支するためのクレビス３ａを有する。ブーム３の先端部の取付片３ｂには吊りワイヤ５を掛ける滑車２０が吊支され、下部の取付片３ｃには吊りワイヤ５をガイドするための滑車２１が設けられている。取付片３ｂは、ブーム３に対して軸周りに回転自在に設けることによって、主柱材Ｔ１，Ｔ２の鉄塔内側への傾斜角、いわゆる転び角に対して滑車２０からの吊りワイヤ５の繰り出し位置をブーム３の背部側に配置して、吊りワイヤ５を資材に結び留めるときの作業性を考慮することができる。吊りワイヤ５の一端は、取り外される上部主柱材Ｔ１などの資材を留め、他端は地上に設置された図示しないウィンチに巻き取られる。
【０００８】
図５及び図６に示すように、ガイド金具４は、主柱材Ｔ１に取り付けるべく、取付金具２とほぼ同様にその内側に沿ってほぼ直角を成す当て板１２を備えている。この当て板１２には、上下に二本の横方向のボルト挿通用長孔１２ａが設けられている。当て板１２には、これに重なって主柱材Ｔ２の両側縁部を当て板１２と挟み込み、ボルト１３で結合するための止め板１４を備えている。この止め板１４には主柱材Ｔ２の両側縁に重なるように主柱材Ｔ２面と当て板１２面に合致する段差が形成されている。当て板１２の内側には、上下に間隔を置いて渡された一対の横板１５を介して、ブーム３の側面を受ける断面円弧状に湾曲した受け板１６が垂直に固着されている。この受け板１６には、これと共にブーム３を把持する断面円弧状の押え板１８がボルト１７で固定される。図７に示すように、ボルト１７の軸上には、受け板１６と押え板１８との間隔を広げてブーム３を軸線方向へ移動自由にガイドするために略Ｕ字状のスペーサ１９を嵌合させることができる。
【０００９】
この台棒装置１においては、送電鉄塔Ｔを構成する上下に接続された主柱材Ｔ１，Ｔ２のうち上部のものＴ１から順次取り外していくために、鉄塔Ｔを組む四方の下部主柱材Ｔ２に夫々取り付ける。台棒装置１は、先ず取付金具２を下部主柱材Ｔ２に取り付け、この下部主柱材Ｔ２にブーム３を支持させ、ガイド金具４を下部主柱材Ｔ２に取り付けてブーム３を固定する。取付金具２は、当て板６を下部主柱材Ｔ２の内側にあてがい、その当て板６と下部主柱材Ｔ２の両側縁部とに跨るように止め板８を重ね、ボルト７を長孔６ａに挿通して締め止める。ブーム３のクレビス３ａは、取付金具２のアイ１０にピン結合させる。ガイド金具４は、当て板１２を下部主柱材Ｔ２の内側にあてがい、当て板１２と下部主柱材Ｔ２の両縁部とに跨るように止め板１４を重ね、ボルト１３を長孔１２ａに挿通して締め止めて、下部主柱材Ｔ２に固定する。ガイド金具４は、ブーム３を受け板１６と押え板１８とで挟み、ボルト１７で締め止めることにより把持する。
【００１０】
吊り降ろし作業は、先ず上部主柱材Ｔ１又はこれに付属する斜材などの資材を吊りワイヤ５に結び留めてから、資材を鉄塔Ｔから外し、下部の滑車２１でガイドさせつつ、地上のウィンチを操作して資材を鉄塔Ｔの内側の地上スペースに吊り降ろす。
取付片３ｂをブーム３の軸周りに回転自在に設けた場合には、取付片３ｂを旋回させて、主柱材Ｔ１，Ｔ２と共に転び角の分だけ傾斜したブーム３の背部側に滑車２０を配置すれば、ブーム３に対して主柱材Ｔ１と同じ側に吊りワイヤ５が滑車２０から繰り出されるので、吊りワイヤ５を資材に結び留めるときの作業性が良好となる。この場合、吊りワイヤ５を資材に結び留めた後、資材を旋回させてブーム３の腹側に配置してから、先と同様にして資材を吊り降ろす。
【００１１】
台棒装置１により上部主柱材Ｔ１を吊り降ろしたら、取付金具２のボルト７及びガイド金具４のボルト１３を緩めて各金具２，４を取り外し、この下部主柱材Ｔ２を取り外し対象とすべく台棒装置１をさらに下方に隣接する下部主柱材Ｔ２に移動させて取り付け、その上部の主柱材Ｔ２の取り外し作業を同様にして行う。これらの作業を送電鉄塔Ｔを組む四方の主柱材Ｔ１，２Ｔにつき行って、送電鉄塔Ｔを上部から下部へ順次解体していく。
【００１２】
台棒装置１の下部主柱材Ｔ２への移行の際には、ガイド金具４のボルト１７を緩めて受け板１６と押え板１８との間隔を広げ、相互間のボルト１７の軸にスペーサ１９を嵌合させ再びボルト１７を締め込むことにより、予めスペーサ１９を固定しておく。そして、ブーム３を支持しつつ取付金具２のボルト７を緩め、下部主柱材Ｔ２から取付金具２を取り外し、ブーム３を取付金具２もろともその下部に隣接する下部主柱材Ｔ２に移動させてから、先と同様にして取付金具２及び別の新たなガイド金具４で固定する。このとき、先のガイド金具４によってブーム３が軸方向にガイドされるので、ブーム３を転倒させることがないし、横方向にぶれ難くなるので、作業が安全で容易になる。ブーム３の移動に用いた先のガイド金具４はブーム３の移行後主柱材Ｔ２から取り外す。このように、二つのガイド金具４は交互に使用する。
【００１３】
【発明の効果】
以上のように、本発明は、送電鉄塔に対して容易に着脱できるので、送電鉄塔上での設置位置を上部から下部へ比較的容易に変更でき、上部から構成材を順次取り外して鉄塔Ｔの内側の地上スペースに吊り降ろし、下方へ移行しながら送電鉄塔を解体することができる。これにより、従来のように地上におけるクレーン車やクレーン装置の設置スペースや、台棒装置の操作用支線などの作業スペースを省くことができ、解体工事を効率よく遂行することができるという効果を有する。特に、クレーン車の乗り入れやクレーンの搬入が困難であったり、適切でない場所における送電鉄塔の解体に最適である。
【図面の簡単な説明】
【図１】本発明に係る鉄塔解体用台棒装置の使用状態の斜視図である。
【図２】台棒装置の一部を省略した正面図である。
【図３】取付金具の斜視図である。
【図４】取付金具の平面図である。
【図５】ガイド金具の斜視図である。
【図６】ガイド金具の平面図である。
【図７】ガイド金具の分解斜視図である。
【符号の説明】
１　　台棒装置
２　　取付金具
３　　ブーム
４　　ガイド金具
５　　吊りワイヤ
６　　当て板
８　　止め板
１２　　当て板
１４　　止め板
１６　　受け板
１７　　ボルト
１８　　押え板
１９　　スペーサ
２０　　滑車
２１　　滑車
Ｔ　　送電鉄塔
Ｔ１　上部主柱材
Ｔ２　下部主柱材
【図１】
2004003160.tif 000003
【図２】
2004003160.tif 000004
【図３】
2004003160.tif 000005
【図４】
2004003160.tif 000006
【図５】
2004003160.tif 000007
【図６】
2004003160.tif 000008
【図７】
2004003160.tif 000009